Podtech/llm-jp-corpus-v4-ja_patent huggingface dataset:
(57)【要約】【課題】・ペーパーを大量に収納出来ないか。・少なくなっても取出し易くならないか。・好みの素材は使えないか。・好みのデザインで作れないか。・補充が簡単に出来ないか。・大型化・重量化しても、持運びしやすい物。・ケースの内側や外側にペーパーの他に物を収納出来ないか。・空き箱等のゴミを少なく出来ないか。・ゴミやほこりを除いて衛生的に。【解決手段】・テイッシュペーパーケースの上部を開口部にして、別に取出し口を設けた蓋をケースの内側を上下移動する構造で、常にペーパーのすぐ上に取りだしち口あり取出し易くした構造。・ケースの材料としては、紙・布・木・植物・皮・陶器・プラスチック・ゴム・ガラス石・タイル・金属・粘土・コルク・パン等ほとんどの物がつかえます。・ケースが大きく・重たくなっても、持運びしやすい様に本体に取っ手を設けた構造。・ケースにペーパーを入れた他に、ケースの内側や外側に物を入れられる収納部を設けた構造。・衛生的にする為、本体上部に蓋を設け、ゴミやほこり除けにした構造。・ペーパーが無くなっても、蓋を取出しペーパーを入れて蓋をのせる、一枚取り出せば補充完了、又アクセサリー等で心が癒されるテイッシュペーパーケースです。【特許請求の範囲】
【請求項１】
テイッシュペーパーケース本体の上部を無くし開口部として、別にペーパー取出し口を設けた蓋がケースの内側を上下に移動して、常にペーパーのすぐ上に蓋がある様にしたテイッシュペーパーケースである。
【請求項２】
請求項１のテイッシュペーパーケース本体内側にテイッシュペーパー以外で、実用性の物アクセサリー性の物を入れられる収納部を設けたテイッシュペーパーケース。
【請求項３】
請求項１のテイッシュペーパーケース本体外側に実用性の物やアクセサリー性の物を入れられる収納部を設けたテイッシュペーパーケース。
【請求項４】
請求項２・３を１つのケース本体に設けたテイッシュペーパーケース。
【請求項５】
請求項１・２・３・４のケースを持運びしやすくする為にケース本体に取っ手を設け移動しやすくしたテイッシュペーパーケース。
【請求項６】
請求項１・２・３・４・５のケースに、衛生的にする為ケース本体の上部に蓋を設けゴミやほこりが入らない様にしたテイッシュペーパーケース。
【発明の詳細な説明】
【技術分野】
【０００１】テイッシュペーパーケース
【背景技術】
【０００２】現在のテイッシュペーパーは小量ですぐなくなってしまい、又大箱になると下のペーパーが取出しにくくなる。【０００３】
【特許文献１】名称  テイッシュ式トイレットペーパーボックス  特許出願番号  ２００７−２６２７１６
【０００４】
【非特許文献】２００７  東京発明展  参考出品
【発明の開示】
【発明が解決しようとする課題】
【０００５】・大量にペーパーを収納出来ないか。
・少なくなっても取出し易くならないか。
・好みの素材は使えないか。
・好みのデザインで作れないか。
・補充が簡単に出来ないか。
・大型化・重量化しても持運びしやすく出来ないか。
・ケースの内側や外側に物を収納出来ないか。
・空き箱等のゴミを少なく出来ないか。
【発明が解決しようとする手段】
【０００６】テイッシュペーパーケースの上部を開口部にして、別に取り出し口を設けた蓋をケースの内側を上下移動する構造で、常にペーパーのすぐ上に取出し口のある蓋があり、取出し易くした構造。
【０００７】ケースの材質としては、紙・布・木・植物・陶器・プラスチック・ゴム・ガラス・石・タイル・金属・粘土・パン・皮等ほとんどの物が使えます。
【０００８】ケースが大型化・重量化しても、持運びしやすい様にケース本体に取っ手を設けた構造。
【０００９】ケースにペーパーを入れた他に、ケースの内側や外側に物が入れられる収納部を設けたテイッシュペーパーケース。
【００１０】ティッシュペーパーを衛生的にする為、ゴミやほこりが付かない様に本体の上部に蓋を設けたテイッシュペーパーケース。
【発明の効果】
【００１１】・好みの材質。デザインの化粧ペーパーケースが簡単に作れます。
・一度に大量のペーパーが入れられ、大変使い易いです。
・ペーパーが少なくなっても、最後まで取出し易いです。
・ペーパーが無くなっても、蓋を取出しペーパーを入れで蓋をのせる、一枚取出すだけ補充がとても簡単です。
・取っ手を設けると、大きく重たくなっても持運びが楽にできます。
・空き箱等がなくなりゴミが少なくなります。
・本体上部にゴミやほこり除けに蓋を設けると衛生的です。
・ケース本体の内側・外側に物を入れられる収納部があると、実用性の物やアクセサリー性の物が入れられ、使い易くなり、心が癒されるテイッシュペーパーケースです
【図面の簡単な説明】
【図１】  透視斜面図
【図２】  斜面図
【図３】  斜面図
【図１】
2009263004.tif 000002
【図２】
2009263004.tif 000003
【図３】
2009263004.tif 000004
(57)【要約】      （修正有）【課題】視覚障害者の方は、牛乳・ジュ−ス・コ−ヒ−・プリン・ヨ−グルト・アイスクリ−ム・酒・ビ−ル・焼酎・めんつゆ等を食する時は中身が、判らぬので第三者を介して中身を確認するか、開封等をして試食や試飲する必要がありますが、容器の外部に「点字」で表示する事によって、判るようにするものです。【解決手段】牛乳・ジュ−ス・プリン・ヨ−グルト・アイスクリ−ム・コ−ヒ−・酒・ビ−ル・焼酎・めんつゆ等を食する時は、中身を確かめるため、開封又は、第三者を介して中身を確認しますが、容器の外部に表示した、「点字」で確認する様にすれば、視覚障害者の方でも冷蔵庫等に保管してあるこれ等の食品を、自由に食する事が、できる様にしたもので、これ等の食品は、売上の一部をメ−カ−は、視覚障害者・身障者・老人福祉等の施設に寄付をしますが、健常者の方でも、その趣旨が判る様に容器に、「文字やマ−ク」で印字したものです。【選択図】図１
2009263002.tif 000002
【特許請求の範囲】
【請求項１】
「点字」で、表示した下記食品等は、メ−カ−が売上の一部を、視覚障害者・身障者・老人福祉等の施設等に、寄付をする事を表示したもので、健常者でもその趣旨が判る様に、「文字やマ−ク」で表示します。
またの狙いは、視覚障害のである方でも、買い物をする時や、一人で居ても冷蔵庫等に置いてある、下記食品等のジュ−スや牛乳を飲みたい時は、第三者の手を借りずに、「点字」に、触れるだけで内容物が判るので、食品を選んで食す事が出来るので重宝であると思われます。
メ−カ−が、売上の一部を視覚障害者・身障者・老人福祉等の施設等に寄付をする事を示した食品等は、容器の外側に健常者でも、その趣旨が判る様に、「文字やマ−ク」で表示し、その文字等と、隣接した部分に「点字」で、牛乳・ジュ−ス・お茶・ビ−ル・酒・焼酎・醤油・ミリン・プリン・もずく・フル−ツ等の缶詰・アイスクリ−ム・その他の食品等の内容物を容器に表示し、視覚障害者でも内容物が判る様にしたものであります。
視覚障害者でも、外側から「点字」に触れるだけで、容器の中身が判る様にするもので、開封して中身を確かめなくても良くなるし、また中身を誤って食する事もなくなるものと思われます。
メ−カ−が、売上の一部寄付を寄付した時は、適当の時期に、その施設と寄付した金額を公表する様にします。
【請求項２】
「点字」で、容器の外部に内容物が判る様にした食品等は、メ−カ−が、売上の一部を視覚障害者・身障者・老人福祉等の施設等に寄付をする事を示した食品等であります。
「点字」は、日本語・英語・フランス語・イタリア語・中国語・韓国語・その他世界各国でも表示できるので、どの国でも同じ様に表示すれば、視覚障害者の方でも安心して、飲食等が出来るものと思われる。
【発明の詳細な説明】
【技術分野】
【０００１】  本発明は、視覚障害者の方でも、容器に入った食品等は、容器の外部に「点字」で情報を表示すれば、容易に中身が判る様にするもので、その食品を購入した時、メ−カ−は売上の一部を視覚障害者・身障者・老人福祉等の施設に寄付をしますが、その趣旨が健常者でも判る様に、「文字やマ−ク」で容器の外部に、印したものです。
【背景技術】
【０００２】  メ−カ−やその内容物が「点字」で判る様にすれば、同じ様な容器に入った、食品等の中身の確認は、「点字」で容器の外部に情報を表示する事によって、判断できる様にするもので、それらの食品等を購入した時、メ−カ−は売上の一部を視覚障害者・身障者・老人福祉等の施設に寄付をしますが、その趣旨が健常者でも判る様に、「文字やマ−ク」で容器の外部に印したものです。
【発明の開示】
【発明が解決しょうとする課題】
【０００３】  市販されている容器に入った食品は、視覚障害者の方は、容器の外部に、「点字」で情報を表示することにより中身の確認ができ、問題を解決するものですが、消費者がそれらの食品等を購入した時、メ−カ−は売上の一部を視覚障害者・身障者・老人福祉等の施設に寄付をしますが、その趣旨が健常者でも判る様に、「文字やマ−ク」で容器の外部に印したものです。
【課題を解決するための手段】
【０００４】  視覚障害者の方が、容器の外部に中身の情報を示した、「点字」に触れるだけで、中身の情報が判る様にしたもので、消費者がそれ等の商品をして購入した時、メ−カ−は売上の一部を視覚障害者・身障者・老人福祉等の施設に寄付をしますが、その趣旨が健常者でも判る様に、「文字やマ−ク」で容器の外部に印したものです。
【発明の効果】
【０００５】    視覚障害者の方でも、容器の外部に「点字」で、メ−カ−や中身を知る事が出来るので役立ち、それ等の食品等を購入した時、メ−カ−は売上の一部を視覚障害者・身障者・老人福祉等の施設に寄付をしますが、その趣旨が健常者でも判る様に、「文字やマ−ク」で容器の外部に印しますが、消費者もその趣旨に賛同すれば、同じ様な食品であれば購入する可能性があり、売上に貢献出来るものと思われます。
【発明を実施するための最良の形態】
【０００６】  図１〜図４は、従来の容器の形態を変えずに、容器の側面等の外部に、その趣旨が健常者でも判る様に、「文字やマ−ク」で容器の外部に印したもので、隣接した箇所に「点字」で中身の情報を表示すれば、視覚障害者の方が触れるだけで、中身の情報が判る様にできる。
【産業上の利用可能性】
【０００７】  視覚障害者の方を中心に、考えたものでありますが、工業的に量産する事が可能であり、産業上の利用可能性を有し、福祉活動にも参加でき、貢献出来るものと考えます。
【図面の簡単な説明】
【０００８】
【図１】紙パックに「点字」で表示する情報の部分として、視覚障害者の方が触れ易い部分に印字し、それ等の食品等を消費者が購入した時、メ−カ−は売上の一部を視覚障害者・身障者・老人福祉施設等の施設に寄付をしますが、その趣旨が健常者でも判る様に、「文字やマ−ク」で容器の外部に印字等をするもので、メ−カ−が、宣伝の効果もあり、最適と考える容器のが部分。
【図２】ペットボトルの開封栓付近の下部に、表示する。
【図３】缶容器の、上蓋の部分等の外部に表示する。
【図４】紙・プラスチック容器の蓋や周囲に表示する。
【図１】
2009263002.tif 000003
【図２】
2009263002.tif 000004
【図３】
2009263002.tif 000005
【図４】
2009263002.tif 000006
(57)【要約】【課題】発泡容器から噴出する泡状の液体をより細かい泡として噴出させる。【解決手段】泡ボトルの泡噴出口に細かい網目の網を張ることを特徴とする。【選択図】図１
2009263001.tif 000002
【特許請求の範囲】
【請求項１】
液体洗剤など粘性を有する液体を泡状にする装置１の泡墳出口２に細かい網目の網を張った泡製造器。
【請求項２】
液体洗剤など粘性を有する液体を泡状にする装置１の泡墳出口２に細かい網目の網を張った脱着式キャップ３を取り付けた泡製造器。
【請求項３】
液体洗剤など粘性を有する液体を泡状にする装置１と泡墳出口２の間に泡製造用の網とは別個に細かい網目の網を設けた泡製造器。
【発明の詳細な説明】
【技術分野】
【０００１】    本発明は発泡ポンプを備えた液体容器に関し、具体的には、液体整髪料、液体洗剤、液体石鹸等の溶液を入れ、これらの溶液を使用するときに発泡させて墳出する、発泡手段を備えた液体容器に関するものである。
【背景技術】
【０００２】    従来容器の蓋部に泡発生装置を設け、容器に充填した洗剤等を手でピストン状の装置を押すことによって空気を混入させ、液体を泡状にして噴出させる容器があった。
【発明の開示】
【発明が解決しようとする課題】
【０００３】    これらは泡をさらに微細にしようとすれば、乾燥により生じた固形物や異物により目詰まりする欠点があった。また、発泡装置が密閉された部分にあり、洗浄によって目詰まりを解消することが困難であった。
【課題を解決するための手段】
【０００４】    本発明は、発泡容器の泡墳出口２に細かい網目の網４を張り付けることによって、発砲容器によって生じた泡をさらに網４を  通過させ、より細かい泡に分解せしめる。また墳出口２に張り付ける網を脱着可能にすることによって、細かい網目の網を洗浄して目詰まりを解消することが出来る  。
【発明の効果】
【０００５】      洗剤などをより細かい泡状にすることによってその能力を増強することが出来る。その結果、単に使用量を低減できるだけでなく、泡による物理的作用により顔などをこすることなく洗浄できるため皮膚を傷めずに洗浄することが出来る。噴出口の微細な網は内部の発泡装置の乾燥を遅らせる効果もある。
【作用・実施例】
【０００６】    泡墳出口２に取り付ける網４の網目は目的に応じて選択できる。通常の洗剤は網目８０μ内外が良い。一度生じた泡をさらに網４により細かくする構造であるため無理な力を加えることなく泡を細かくすることが出来る。本発明は水に強い化学合成品を素材とした細く丈夫な繊維とそれを使用した細かい網目の網が開発されたことによって可能になった。泡噴出口に網４を張った脱着出来るキャップ３を装着しても良い。発泡装置１と泡噴出口２の中間に細かい網目の網４を設けて発泡装置で生じた泡を通過させても良い。
【図面の簡単な説明】
【図１】  改良型発泡容器の斜面図である。
【図２】  脱着可能な泡噴出口に装着する網付きキャップの斜面図である。
【符号の説明】
１．発泡装置  ２．泡墳出口  ３．細かい網目の網を張ったキャップ  ４．細かい網目の網
【図１】
2009263001.tif 000003
【図２】
2009263001.tif 000004
(57)【要約】      （修正有）【課題】ティシュペーパー箱の上に、物を置いたり、本棚の間に置いた時、又は、自動車のバックポケットに、立てに入れた時等に、ティシュペーパーが取り出せない不具合を解決する。【解決手段】ティシュペーパー箱の前面・後ろ面・右側面・左側面・上面・下面に、取り出し口付ける事により取出しが、可能になり、この課題を解決する。【選択図】図２
2009263005.tif 000002
【特許請求の範囲】
【請求項１】
ティシュペーパー箱の上面・前面・左側面部に、ティシュペーパー取り出し口が有るのが、特徴とするティシュペーパー箱
【請求項２】
ティシュペーパー箱の上面・前面・背面・右側面・左側面・下部面  全ての面に取り出し口有るのが、特徴とするティシュペーパー箱
【請求項３】
ティシュペーパー箱の接地面に両面テープを取り付けることを特徴とするティシュペーパー箱
【発明の詳細な説明】
【技術分野】
【０００１】本発明は、ティシュペーパー箱に関する物であり、ティシュペーパー箱に、取り出し口を、増やし、置き場所の制約少なくなり。使い勝手が良くなる物である。
【背景技術】
【０００２】従来から、ティシュペーパー箱は、上面にしか取り出し口の無い物が使われている
【発明の開示】
【発明が解決しようとする課題】
【０００３】従来のような、ティシュペーパー箱は、上面しか、取り出し口がなく、上に物を置くと取り出せなくなります。又上部しか取り出し口が無いため、置いた場合  場所を取ります。非常に不便である。本発明は、この様な、ティシュペーパー箱の置き場の制約、使いやすさを解決することを課題とする。
【課題を解決するための手段】
【０００４】この課題を解決するための請求項１の発明は、前面部・左側面部に、取り出し開口部を取り付ける事により置き場所の制約が無くなり、使いやすく成ります。【０００５】請求項２の発明は、取り出し口を、前面部・背面部・右側面部・左側面部・上面部・下面部全ての、面に取り出し口を設けることにより、ティシュペーパー箱の置ける所であれば、取出しが可能になります。【０００６】請求項３の発明は、滑り落ちる所や、壁、に両面テープで、貼り付けることが出来さらに使安く成ります。
【発明の効果】
【０００７】本発明により、置き場所・スペース等の制約が少なくなり、ティシュペーパー箱の上に、新聞や雑誌等置いても、前面から取ることが出来ます。本棚や、車のイスのバックポケットに、縦に入れても、側面から、取り出せます。立てても寝せてもティシュペーパーが、取れます。箱が動く場合両面テープで貼付けて使い  今まで、置いていたが、一度ティシュペーパー箱ごと取り出してからでないと、ティシュペーパーを取り出せない様な、事が無くなります。
【発明を実施するため最良の形態】
【０００８】図１は、ティシュペーパー箱従来の上面にプラス前面部・左側面部に取り出し口を設けた事を特徴とする。ティシュペーパー箱の図です。同図に示すように、上面・前面・左側面に、取り出し口が有るため、ティシュペーパー箱を立てても、寝さても、ティシュペーパーを取り出せることが出来る様になりました。
【０００９】図２は、ティシュペーパー箱の取り出し口を上部・前部・左側面部・右側面部・後ろ部・下部と全面に、取り出し口取り付け、さらに使いやすくした事を特徴とする。ティシュペーパー箱です。
【００１０】図３は、ティシュペーパー箱を滑らないように、壁・机・斜面等に貼り付け、滑ら無い様に、固定出来る様になります。
【産業上の利用可能性】
【００１１】本発明に係るティシュペーパー箱は、工業的に量産する事可能であるため、産業上の利用可能を有する。
【図面の簡単な説明】
【００１２】
【図１】上部・左側部・前部に取り出し口を付けた。図面である。
【図２】上部・左側部・右側部・後ろ部・前部・下部に取り出し口を付けた。図面である。
【図３】両面テープを設置面に取り付ける図面である。
【符号の説明】
【００１３】▲１▼上面取りだし口
▲２▼左側面取り出し口
▲３▼前面取り出し口
▲４▼右側面取り出し口
▲５▼後面取り出し口
▲６▼下面とり出し口
▲７▼上面貼り付け場所
▲８▼左側面貼り付け場所
▲９▼前面貼り付け場所
▲１０▼右側面貼り付け場所
▲１１▼後面貼り付け場所
▲１２▼下面貼り付け場所
▲１３▼貼り付け用両面テープ
【図１】
2009263005.tif 000003
【図２】
2009263005.tif 000004
【図３】
2009263005.tif 000005
(57)【要約】      （修正有）【課題】浮遊しているウィルスをも吸着し、チタンに接触させ、ウィルスを死滅、分解を行うことにより、人による院内感染の低減、新型ウィルスへの拡散防止、家畜肥育場へのウィルス飛来の低減、感染予防等を図る。【解決手段】施設に、水溶性樹脂と光触媒材料とバルーン（主にガラス系、セラミック系）からなる水溶性組成物でコーティングを施すことにより、光触媒粒子をバルーンの浮力で被処理体の表層、表面上に定着させることができ、これにより、浮遊ウィルスを吸着し、光触媒に接触させ、もってウィルスを死に至らしめる。【選択図】図３
2009263582.tif 000002
【特許請求の範囲】
【請求項１】
光触媒材料を含有した水溶性組成物であって、光触媒材料とバルーン（主にガラス系、セラミック系）の混練物及び混練方法。
【請求項２】
前記、バルーン材料に対する光触媒材料の固形成分含有量は３％〜８０％である。請求項１記載の水性樹脂混練物。
【請求項３】
前記、バルーン材料は空気層を含む基材である為、熱伝導率が非常に低く（０．１３Ｋｃａｌ／ｍ・ｈ・℃）断熱、保温機能を有する混練物。
【発明の詳細な説明】
【技術分野】
【０００１】
本発明は光触媒材をバルーンにより表層表面に浮かせる混練技術に関する。
【背景技術】
【０００２】
発汗作用少ない家畜は、夏場の畜舎内温度が上昇すると家畜は食欲が進まず、体内温度を下げる為、水の給水量が多くなる。これにより栄養不足となり、生産性が低下することから、出荷量が減少する。自ずと同時期の加工肉単価の上昇がおこる。昨今の地球温暖化の影響が大きく畜産生産農家の経営圧迫をきたしている。一方、サーコウィルス、サルモネラコレラスイス、（ＳＣ）鳥インフルエンザ等ウィルス感染予防の為、家畜個体への防疫費用の高騰、感染後の廃棄処分費が農場経営を圧迫している。学校、病院の待合所、介護施設、温泉、バス、車、列車、飛行機等、公共の集団で人が集まる場所で菌、ウィルス感染に対して関心が高まっている。これらに対し、断熱、保温、減菌、ウィルス死滅、分解の要望がある。
【特許文献１】特開２００５−２９６７１号公報
【発明の開示】
【発明が解決しようとする課題】
【０００３】
しかしながら、上記特許文献しては、光触媒材の比重１以上である為、表層及び表面に露出させる事が出来ず効果が得られない。
【課題を解決するための手段】
【０００４】
これらの対策として、光触媒材をバルーンと混練し粒子を結合させることによって光触媒粒子をバルーンの浮力で（１以下）表層、表面上に定着させる事が出来る。
【発明の効果】
【０００５】
上記内容により、浮遊しているウィルスをも吸着し、チタンに接触させ、ウィルスを死滅、分解、が安価で出来る。人による院内感染の低減、新型ウィルスへの拡散防止、家畜肥育場へのウィルス飛来の低減、感染予防が安価に出来、貢献できる。断熱、保温による省エネ、家畜の増体率ＵＰ、生産性の向上、平準出荷に貢献出来る。
【発明を実施するための最良の形態】
【０００６】
水性樹脂材を用いる事により、樹脂比重が重い（１以上）で光触媒材粒子とバルーンの結合体と樹脂材が分離乾燥する事で被写体との接着強度を保ち、表面、表層の固着定着が安定する。
【実施例１】
【０００７】
豚舎にて施工し１ヶ月間１時間おきの温度変化を計測した。コーティングなしの屋根とコーティングした屋根温度差は最大２７度実証できた。また室内温度も母豚搬入後、出産してから１９度から２０度と保温効果も記録している。
【表１】
2009263582.tif 000003
【産業上の利用可能性】
【０００８】
本発明は主にセラミック、ガラス系からなるバルーン体粒子を用いた光触媒材と水性樹脂混練物である為、安価で安全に取り扱いが出来る。
【図面の簡単な説明】
【０００９】
【図１】水溶液の中に光触媒とセラミックバルーンを投入した状態
【図２】水性樹脂材によって光触媒材がセラミックバルーンと混練結合した状態
【図３】最終的な結合完了状態
【符号の説明】
【００１０】
１  光触媒
２  セラミックバルーン
３  水溶性樹脂皮膜
【図１】
2009263582.tif 000004
【図２】
2009263582.tif 000005
【図３】
2009263582.tif 000006
(57)【要約】【課題】本願発明は、使用者を小便器に使用者の意思によらず近づける手段の提供である。【解決手段】本願発明は、小便器前方の使用者と小便器間の距離を検知するセンサを有し、検知の結果前記距離が適正でない場合、小便器を適正な位置まで移動する駆動装置を有する使用者と小便器間の距離を適正に保つ小便器である。使用者を検知し、自動的に水を流し洗浄する従来の小便器に使用者と小便器の距離が適正でないときは、小便器を使用者側に移動する手段を設けた。【選択図】図1
2009263959.tif 000002
【特許請求の範囲】
【請求項１】
小便器前方の使用者と小便器間の距離を検知するセンサを有し、検知の結果前記距離が適正でない場合、小便器を適正な位置まで移動する駆動装置を有する使用者と小便器間の距離を適正に保つ小便器。
【発明の詳細な説明】
【技術分野】
【０００１】
本発明は、小便器の技術に属する。
【背景技術】
【０００２】
従来、センサによる小便器使用者の検知に基づいて給水路の電磁弁を開き、洗浄水を小便器の鉢内面に噴射して小便器洗浄を自動的に行う小便器の自動洗浄装置が広く用いられている。
小便器鉢内の洗浄は上記自動洗浄装置により洗浄されるが、使用者は小便器に近寄らず必要以上に離れがちで、小便器前方の床が尿垂れで汚れやすく、不衛生になりやすいとともに清掃に手間と時間がかかる問題があった。
そのため特開2002-21160には小便器に立位置誘導装置を設け、使用者の立位置が適正位置よりも遠い時に適正位置に誘導するための視覚的な表示を行う手段が開示されている。
【０００３】
特開2008-57195には、小便器放尿目標体を小便器鉢内部に設け、使用者の放尿の目標とすることで、使用者の興味を引きよせ目標体に命中させようとする意識を利用して小便器に近づける手段が開示されている。
【０００４】
いずれも、使用者が小便器に近づくかどうかは使用者の意思しだいである。
使用者の意識によらず使用者を小便器に近づける方法が求められていた。
【０００５】
【特許文献１】特開2002-21160
【特許文献２】特開2008-57195
【発明の開示】
【発明が解決しようとする課題】
【０００６】
本願発明は、使用者を小便器に使用者の意思によらず近づける手段の提供である。
【課題を解決するための手段】
【０００７】
本発明は、小便器前方の使用者と小便器間の距離を検知するセンサを有し、検知の結果前記距離が適正でない場合、小便器を適正な位置まで移動する駆動装置を有する使用者と小便器間の距離を適正に保つ小便器である。使用者を検知し、使用者と小便器の距離が適正でないときは、小便器を使用者側に移動する手段を設けた。
【発明の効果】
【０００８】
本発明は、小便器前方の使用者と小便器との距離を検知し、その距離が適正でない場合、小便器を適正な位置まで移動させる手段を設けたため、使用者と小便器との距離が適正に保たれ、尿垂れが防止でき、小便器前方の床面が清潔に保たれる。
【発明を実施するための最良の形態】
【０００９】
以下本発明を図によって、より詳細に説明する。
図１、図２は、本発明である使用者と小便器間の距離を適正に保つ小便器の概念図である。図１ａ、図２ａは、使用者が適切な距離を保って使用している状態を示しており、図１ｂ、図２ｂは、距離を離して使用しようとするとき小便器を移動させ適切な距離をとり、使用している状態を示している。図1は小便器を使用者の向かって前後水平に移動させ、図２は小便器を使用者に向かって回転移動させる例である。
【００１０】
本距離を適正に保つ装置は、従来の自動洗浄装置におけるセンサを兼用させることができる。図では通常の状態では小便器は鉢を備え壁に接して床上に設置されている。
小便器の後方には小便器を前後に移動させる駆動装置が設けられている。
小便器の上方にはボックスが設けられ使用者の立位置を検知するセンサが組み込まれている。従来の自動洗浄装置と同様小便器前方の使用者の有無、使用者までの距離を検知する赤外線式のセンサ（側距センサ）とセンサによる使用者の検知に基づいて給水管内の給水通路を開閉する電磁弁とその作動制御を行う制御部とを有している。それらが図３に示すように、小便器上部のボックス内に組み込まれている。
【００１１】
本ボックス内には給水装置の制御装置に加えて小便器を前後に移動させる駆動装置の制御装置が組み込まれている。
図４に示す距離Ｌ１、Ｌ２を調整する調整部が設けられ、ここで距離Ｌ１は小便器の自動洗浄を行う場合の設定距離であり、距離Ｌ２は使用者が小便器を使用するための適正距離である。
【００１２】
図５は、上記制御部による制御の内容を示している。
図に示すように、この例では使用者が小便器に対して、距離Ｌ１内に接近すると、そこでｔ１秒間電磁弁が開かれて小便器の予備洗浄が行われる（ステップＳ１０，Ｓ１２）。
【００１３】
さらに使用者と小便器間の適正距離Ｌ２まで使用者が接近したか否かが判定され（ステップＳ１４）、Ｌ２まで使用者が近づいていれば、その後使用者が小便器から立ち去った時点でｔ２秒間電磁弁が開いて、小便器の本洗浄が行われる（ステップＳ１６，Ｓ１８，Ｓ２０）。
【００１４】
一方、距離Ｌ１内に使用者が接近した後、距離Ｌ２まで接近していない場合、駆動装置を作動させ使用者と小便器との距離がＬ２となるまで小便器を前後水平にあるいは回転して移動させる。距離がＬ２となったら駆動装置の作動を停止する。（ステップＳ１４、Ｓ２２）
駆動装置を作動させて小便器を移動させた場合、再び駆動装置を作動させて小便器を元の位置に戻しておく。（ステップＳ２４、Ｓ２６）
【００１５】
以上のような使用者と小便器の位置を適正位置に設定する駆動装置を設けておけば、使用者の立位置に係らず小便器と使用者の相対距離を適正なものとすることができる。そのため小便器前方の床が尿垂れにより汚れてしまうといった従来の問題を改善することができ、小便器周りを清潔に保つことができるとともに、清掃の手間と時間を短縮することができる。
【００１６】
以上本発明による駆動装置による使用者と小便器との距離を適正に保つ装置は図１に示す床置きの小便器にかかわらず、壁に掛けた形式の小便器にも適応可能である。なお給水管、配水管はフレキシブル配管とするこというまでもない。
【図面の簡単な説明】
【００１７】
【図１】は、本発明の使用者と小便器間の距離を適正に保つ小便器を示す第1の例を示す概念図である。
【図２】は、本発明の使用者と小便器間の距離を適正に保つ小便器を示す第2の例を示す概念図である。
【図３】は、センサ、給水装置、小便器駆動制御部を示す概念図である。
【図４】は、使用者と小便器間の距離を測定する概念図である。
【図５】は、使用者と小便器間の距離を適正に保つ制御手段を示している。
【符号の説明】
【００１８】
１  小便器
２  駆動装置
２１  駆動装置制御部
３  センサおよび制御部
３１  Ｌ１制御部
３２  Ｌ２制御部
４  給水装置
４１  給水管
５  排水管
【図１】
2009263959.tif 000003
【図２】
2009263959.tif 000004
【図３】
2009263959.tif 000005
【図４】
2009263959.tif 000006
【図５】
2009263959.tif 000007
(57)【要約】【課題】パスモ及びスイカ等のＩＣカードの間に相互の干渉を防ぐ電波シールド材を挿入するか、あるいは、ＩＣカードの裏面に付着させることにより、誤動作のトラブルをすべて、回避する事が課題である。【解決手段】有効な電波シールド材を、パスモ及びスイカ等のＩＣカードの間に挿入し、相互の干渉を防ぐ。あるいは、ＩＣカードの裏面に付着させることにより、相互の干渉を防ぐ。【選択図】図１
2009151737.tif 000002
【特許請求の範囲】
【請求項１】
パスモ及びスイカ等のＩＣカードの間に挿入することにより、相互の干渉を防ぐ電波シールド材
【請求項２】
パスモ及びスイカ等のＩＣカードの裏面に付着させ、相互の干渉を防ぐ電波シールド材
【発明の詳細な説明】
【技術分野】
【０００１】現在、パスモ及びスイカ等を同じ定期入れ等に入れて、ＩＣカードの受信装置に触れると、誤動作してトラブルが生ずる。
そこで、パスモ及びスイカ等のＩＣカードの間に挿入するか、あるいは、ＩＣカードの裏面に付着させることにより、相互の干渉を防ぐ電波シールド材を使うことで、誤動作のトラブルをすべて、回避する事が可能となる。
【背景技術】
【０００２】ＩＣ技術の発展と共に、急速にパスモ及びスイカ等の利用が進んだ。
そのため、パスモ及びスイカ等を同じ定期入れ等に入れて、ＩＣカードの受信装置に触れると、誤動作してトラブルが生ずると言う問題が発生してきた。
それを解決するため、パスモ及びスイカ等のＩＣカードの間に相互の干渉を防ぐ電波シールド材を挿入するか、あるいは、ＩＣカードの裏面に付着させることにより、誤動作のトラブルをすべて、回避する事ができる。
特許電子図書館及びＪＤｒｅａｍＩＩで、関連する特許及び文献を検索しても、上記案件に関するものは、全く無い。
【発明の開示】
【発明が解決しようとする課題】
【０００３】パスモ及びスイカ等のＩＣカードの間に相互の干渉を防ぐ電波シールド材を挿入するか、あるいは、ＩＣカードの裏面に付着させることにより、誤動作のトラブルをすべて、回避する事が課題である。
【課題を解決するための手段】
【０００４】上記課題を解決するために、有効な電波シールド材を、パスモ及びスイカ等のＩＣカードの間に挿入し、あるいは、ＩＣカードの裏面に付着させることにより、相互の干渉を防ぐ。
【発明の効果】
【０００５】パスモ及びスイカ等のＩＣカードの間に相互の干渉を防ぐ電波シールド材を挿入するか、あるいは、ＩＣカードの裏面に付着させることにより、誤動作のトラブルをすべて、回避する事が可能となり、多くの波及効果を及ぼす。
【発明を実施するための最良の形態】
【０００６】シールド材として、電波に対して銅、アルミニウム、などの導電性の高い方が良い。これらを用い、パスモ及びスイカ等のＩＣカードの間に相互の干渉を防ぐ電波シールド材として、挿入するか、あるいは、ＩＣカードの裏面に付着させることにより、誤動作のトラブルをすべて、回避する事が可能とする。
【実施例】
【０００７】実施例は図１に示す。
【産業上の利用可能性】
【０００８】パスモ及びスイカ等のＩＣカードは、社会で多く用いられており、産業上の利用可能性は極めて高い。
【図面の簡単な説明】
【０００９】
【図１】パスモ及びスイカの間に図１のように、電波シールド材を挿入し、誤動作のトラブルを回避する場合の例を示す。ＩＣカードの裏面に付着させることにより、トラブルを回避する場合の図は省略した。
【図１】
2009151737.tif 000003
(57)【要約】 【課題】   飲水器用温水タンクは、９０度ないし９５度くらいの温度で使用されるため、ヒーターの沸騰によって内部に空気が溜まるため、必ず排気配管が必要である。しかし、その排気管を通って沸騰水が循環するため、エネルギーが無駄になっていた。【解決手段】   そこで、沸騰現象をできるだけ少なくできるタンクを考案した。タンクの内部を２重にして外側のタンクには油などの沸点の高い液体を入れ、その中のタンクに入る水を間接的に加熱することにした。また、油などの対流を良くするための隔壁を外部タンクに設けた。 【選択図】  図１
2009014294.tif 000002
【特許請求の範囲】
【請求項１】
内部に隔壁を持った間接加熱式温水タンク 
【発明の詳細な説明】
【技術分野】
【０００１】
本発明は飲水器などに使われる温水タンクに関する物である。 
【背景技術】
【０００２】
飲水器に用いられる温水器は、ステンレスなどのタンクにヒーターを内蔵、もしくは外部に装着した物が使われる。上部のタンクからの水は密閉されることによって止水されることが多く、そのためタンクは密閉式のものが使われる。
【発明の開示】
【発明が解決しようとする課題】
【０００３】
温水タンクは９０度ないし９５度くらいの温度で使用されるため、ヒーターの沸騰によって内部に空気が溜まるため、必ず排気配管が必要である。しかし、その排気管を通って沸騰水が循環するため、エネルギーが無駄になっていた。 
【課題を解決するための手段】
【０００４】
そこで、沸騰現象をできるだけ少なくできるタンクを考案した。沸騰はヒーターの単位面積あたりのワット数を下げれば防げるのだが、小さなタンクで多くの熱水を供給しようとすると、あまりワット数を下げる訳にもいかない。そこで、タンクの内部を２重にして外側のタンクには油などの沸点の高い液体を入れ、その中のタンクに入る水を間接的に加熱することにした。また、油などの対流を良くするための隔壁を外部タンクに設けた。 
【発明の効果】
【０００５】
その結果、油の温度を細かく制御することで、水の沸騰を押さえることができた。また油の沸点は水よりも高いため、ヒーターの沸騰音についても抑えることができた。そのうえ、温水を使っても油の温度はすぐに低下しないため、温水の再加熱が迅速に行えるようになった。内側のタンクの表面積はヒーターの表面積の５倍〜６倍になるため、効果的に沸騰を抑制できる。 
【産業上の利用可能性】
【０００６】
現在、家庭用電気製品などでもっとも必要とされるのは省エネ性能であり、無駄なエネルギーを消費することは許されない。飲水器は年間数百万台製造されており、温水循環によるロスをなくせば、かなりの省エネが期待されるため、この技術の利用可能性は大である。 
【図面の簡単な説明】
【０００７】
【図１】全体の構成図である。１）  タンクの上蓋。２）  内部水タンク３）  対流促進用隔壁４）  外部タンク側壁５）  ヒーター取り付け穴６）  タンク底板７）  油等注入口
【図１】
2009014294.tif 000003
(57)【要約】【課題】長尺の配管でも装着が容易で、かつ制御用の電線や光ファイバなどを共架できる断熱用熱収縮チューブの提供【解決手段】この発明の断熱用熱収縮チューブＡは、水や冷媒配管用の断熱チューブであって、配管３の外径よりもやや細めで、壁面の内側に複数個の溝１を適宜間隔をおいて軸方向に平行に設けてなる合成樹脂又はゴムチューブ２の内径を配管３の外径以上に拡径しており、配管３への装着が容易であると共に、制御用の電線や光ファイバ４などを共架できるという利点がある。【選択図】 図２
2009014088.tif 000002
【特許請求の範囲】
【請求項１】
水や冷媒配管用の断熱チューブであって、前記配管の外径よりもやや細めで、壁面の内側に複数個の溝を適宜間隔をおいて軸方向に平行に設けてなる合成樹脂又はゴムチューブの内径を前記配管の外径以上に拡径してなることを特徴とする断熱用熱収縮チューブ
【発明の詳細な説明】
【技術分野】
【０００１】
本発明は、水や冷媒配管に使用する断熱用熱収縮チューブに関するものである。
【背景技術】
【０００２】
従来、水や冷媒配管に使用される断熱用チューブとしては、例えば、図４に示すように、内面に全長にわたり、凹凸ａを設けた発泡合成樹脂チューブｂなどが使用されていたので次のような問題点があった。
【０００３】
１．例えば、２ｍ以上の長尺の配管になると、装着するのが困難であった。
２．制御用の電線や光ファイバなどを共架できなかった。
【特許文献１】特開平１０−２０５６８９号公報
【発明の開示】
【発明が解決しようとする課題】
【０００４】
この発明は、背景技術で記述した問題点を解消するためになされたもので、長尺の配管でも装着が容易で、かつ制御用の電線や光ファイバなどを共架できる断熱用熱収縮チューブの提供を目的とするものである。
【課題を解決するための手段】
【０００５】
この発明の断熱用熱収縮チューブは、制御用の電線や光ファイバなどを収納できる溝を壁面の内側に、適宜間隔をおいて、軸方向に平行に複数個設けていることを特徴とするものである。
【発明の効果】
【０００６】
この発明は上述のように構成されているので、次のような効果を奏する。
１．熱収縮性を備え、配管の外径以上に拡径しているので、配管への装着が容易である。
２．壁面の内側に設けた溝に、制御用の電線や光ファイバなどを収納できる。
３．  配管の外周に、空気層（溝）が存在するので、断熱性が向上する。
【発明を実施するための最良の形態】
【０００７】
長尺の配管でも装着が容易で、かつ制御用の電線や光ファイバなどを共架できる断熱用熱収縮チューブの提供という目的を、壁面の内側に複数個の溝を適宜間隔をおいて軸方向に平行に設けてなる合成樹脂又はゴムチューブの内径を配管の外径以上に拡径したことにより実現できた。
【実施例】
【０００８】
本発明の実施の一例を図面を参照しながら説明する。本願の断熱用熱収縮チューブＡは、水や冷媒配管用の断熱チューブであって、図１に示すように、配管３の外径よりもやや細めで壁面の内側に複数個の溝１を適宜間隔をおいて軸方向に平行に設けてなる合成樹脂又はゴムチューブ２の内径を、図２に示すように、配管３の外径以上に拡径している。
【０００９】
前記合成樹脂又はゴムチューブ２の材質は、エチレンプロピレンゴムや架橋ポリエチレンなどからなっている。まず、内径が配管３の外径よりも細めで、壁面の内側に複数個の溝１を適宜間隔をおいて軸方向に平行に設けた未加硫のエチレンプロピレンゴムチューブや未架橋のポリエチレンチューブを押し出す。
【００１０】
ついで、該チューブの加硫や架橋を行い、最後にその内径を配管３の外径以上に拡径したのち、所定の長さに切断して、本願の断熱用熱収縮チューブＡに仕上げる。
【００１１】
実施に際しては、図３に示すように、拡径した状態の適宜長の熱収縮チューブＡを、配管３に挿通し、熱収縮チューブＡを、トーチや高温漕などの熱源で加熱収縮させるのである。なお、４は、制御用の電線や光ファイバである。
【００１２】
図４は、従来使用されている配管断熱用チューブであり、内面全長にわたり、凹凸ａを設けた発泡合成樹脂チューブｂからなっている。
【産業上の利用可能性】
【００１３】
制御電線や光ファイバなどを共架できる配管用断熱チューブとして利用が可能である。
【図面の簡単な説明】
【００１４】
【図１】本発明の実施の一例を示す未加硫又は未架橋のチューブの断面図
【図２】図１の未加硫又は未架橋のチューブを加硫又は架橋し、拡径した熱収縮チューブの断面図
【図３】実施の状態を示す断面図
【図４】従来の配管断熱チューブの一例を示す一部切欠側面図
【符号の説明】
【００１５】
１  溝
２  壁面の内側に溝を設けてなた合成樹脂又はゴムチューブ
３  配管
４  制御用の電線又光ファイバ
Ａ  断熱用熱収縮チューブ
ａ  凹凸
ｂ  発泡合成樹脂チューブ
【図１】
2009014088.tif 000003
【図２】
2009014088.tif 000004
【図３】
2009014088.tif 000005
【図４】
2009014088.tif 000006
(57)【要約】【課題】安価で錆の発生がなく、据付時などに安全な固定脚を備えた熱源装置の室外機を提供する。【解決手段】本熱源装置の室外機は、筐体を据付面に固定する固定脚が上方に開口し下面が面状で断面コ字状の細長部材からなり、この細長部材の両端に設けられる固定部が筐体の底面から露出し、筐体を据付面に固定し、かつ固定部の開口の端面が折り返えされて端面隠し構造である。【選択図】  図３
2009014325.tif 000002
【特許請求の範囲】
【請求項１】
室外熱交換器、送風機及び機械部を収納する筐体と、この筐体の底面に設けられ、前記筐体を据付面に固定する固定脚とを備えた熱源装置において、前記固定脚は上方に開口し下面が面状で断面コ字状の細長部材からなり、この細長部材の両端に設けられる固定部は、前記筐体の底面から露出し、前記筐体を据付面に固定し、かつ前記固定部の周端部が折り返されて端面隠し構造であることを特徴とする熱源装置。
【発明の詳細な説明】
【技術分野】
【０００１】
本発明は熱源装置に係り、特に固定脚の形状を改良した熱源装置に関する。
【背景技術】
【０００２】
一般に空気調和機やヒートポンプ式給湯機などの熱源装置は、室外熱交換器、送風機及び機械部を収納する筐体の底部に設けた固定脚を介して据付面に据付けられる。
【０００３】
図４に示すように、空気調和機の室外機２１は、筐体２２を備え、この筐体２２の底部には金属製の固定脚２３が設けられる。
【０００４】
図５及び図６に示すように、固定脚２３は下方に向かって開口するコ字状断面を有する細長部材の支持部２４と、この支持部２４の両端に設ける平板状の固定部２５、２６からなり、支持部２４の取付面２７に、中心線上に３個穿設した取付孔２７ａを介して、固定部２５、２６が露出するように筐体２２の底部に取付けられる。
【０００５】
固定脚２３を取付けた室外機２１は、固定脚２３を介して据付面に据付けられ、固定部２５、２６を介してねじにより据付面に固定される。
【０００６】
固定脚２３は、取付面２７から平行に延びる一対の平板状の支持部２８により、室外機２１の重量を支持する。
【０００７】
このため支持部２８には大きな強度が要求され、肉厚を増して強度を増す必要があり、高価になり、さらに、平板状の固定部２５、２６の端部２５ａ、２６ａは据付時などに安全上問題があった（例えば、特許文献１参照）。
【特許文献１】特開２００６−１７７６２０号公報
【発明の開示】
【発明が解決しようとする課題】
【０００８】
本発明は上述した事情を考慮してなされたもので、安価で、据付時などに安全な固定脚を備えた熱源装置の室外機を提供することを目的とする。
【課題を解決するための手段】
【０００９】
上述した目的を達成するため、本発明に係る熱源装置は、室外熱交換器、送風機及び機械部を収納する筐体と、この筐体の底面に設けられ、前記筐体を据付面に固定する固定脚とを備えた熱源装置において、前記固定脚は上方に開口し下面が面状で断面コ字状の細長部材からなり、この細長部材の両端に設けられる固定部は、前記筐体の底面から露出し、前記筐体を据付面に固定し、かつ前記固定部の周端部が折り返えされて端面隠し構造であることを特徴とする。
【発明の効果】
【００１０】
本発明に係る熱源装置によれば、安価で、据付時などに安全な固定脚を備えた熱源装置の室外機を提供することができる。
【発明を実施するための最良の形態】
【００１１】
本発明の一実施形態に係る熱源装置について添付図面を参照して説明する。
【００１２】
図１は本発明の一実施形態に係る熱源装置の斜視図であり、図２はその固定脚の斜視図、図３は図２のＡ−Ａ線断面図である。
【００１３】
図１に示すように、本発明の一実施形態に係る熱源装置例えば空気調和機の室外機１は、いずれも図示しない室外熱交換器、送風機及び機械部を収納し空気吹出口２ａが設けられた筐体２を備え、この筐体２の底面には据付面に固定するための一対の金属製の固定脚３、３が設けられる。
【００１４】
図１及び図２に示すように、この固定脚３は下面４から一対の平板状の支持部５、５が平行に立上って、上方に開口する断面コ字状の細長部材からなり、筐体２を支持する支持部位には開口３ａの両端部から外方に延びる取付部６、６が設けられ、この取付部６、６には固定脚３を筐体２に取付けるための４個のねじ孔７がジグザグに設けられ、ねじ孔７を用いて、固定脚３を筐体２の底面２ｂに螺着する。ねじ孔７をジグザグに設けることにより、固定脚３の取付け強度が増し、台風、強風等に耐え得る。
【００１５】
また、固定脚３の支持部位以外の部位すなわち取付後、固定脚３の筐体２から露出する両端には固定部１０、１１が設けられ、この固定部１０、１１の周端部はヘミング加工により折り返されて端面隠し構造になっている。
【００１６】
また、固定部１０、１１のヘミング加工により下面４と据付面との間に間隙が生じるため、下面４には補強を兼ねた長いビード８が設けられ、このビード８の下面が据付面に接し、ビード８部分に水抜き用孔９が設けられる。
【００１７】
また、前側の固定部１０には据付用ねじ孔１０ａが穿設され、後側の固定部１１には据付用ねじ切欠１１ａが設けられる。据付面に予め立設された２本の固定用ボルトを据付用ねじ孔１０ａ及び据付用ねじ切欠１１ａに貫通させて、ナットにより固定するか、固定用ボルトをねじ孔１０ａ及びねじ切欠１１ａを貫通するボルトを用いて、据付面に予め埋設されたナットに螺合させて固定する。
【００１８】
本空気調和機の室外機１に用いる固定脚３は、室外機１の重量全体を断面コ字状の固定脚３で支持するため、固定脚３を厚い肉厚の金属板を用いる必要がなく安価になる。また、固定部１０、１１の周端部を折り返しているため、錆が発生しやすい端部に万が一錆が発生したとしても見えにくくなり、固定脚３を塗装しなくても美観が保つことができ、安価でリサイクル性にも優れる。さらに、据付時などにエッジで怪我をすることもなく安全である。
【００１９】
なお、上記実施形態では熱源装置として空気調和機の室外機を例にとり説明したが、ヒートポンプ式給湯機にも適用できる。
【００２０】
本実施形態の熱源装置の室外機によれば、安価で、据付時などに安全な固定脚を備えた熱源装置の室外機が実現する。
【図面の簡単な説明】
【００２１】
【図１】本発明の一実施形態に係る熱源装置の斜視図。
【図２】本発明の一実施形態に係る熱源装置に用いる固定脚の斜視図。
【図３】図２のＡ−Ａ線断面図。
【図４】従来の熱源装置の斜視図。
【図５】従来の熱源装置に用いる固定脚の斜視図。
【図６】図５のＢ−Ｂ線断面図。
【符号の説明】
【００２２】
１…空気調和機の室外機、２…筐体、２ｂ…底面、３…固定脚、３ａ…開口、４…下面、５…支持部、６…取付部、１０…固定部、１０ａ…据付用ねじ孔、１１…固定部、１１ａ…据付用ねじ切欠。
【図１】
2009014325.tif 000003
【図２】
2009014325.tif 000004
【図３】
2009014325.tif 000005
【図４】
2009014325.tif 000006
【図５】
2009014325.tif 000007
【図６】
2009014325.tif 000008
(57)【要約】【課題】  芳香の発散が長期間にわたって持続する芳香筆記具を提供する。  【解決手段】  担体に液体香料を含浸させた香料保持体を軸筒内に内蔵する。極細繊維を引き揃えて棒状に成形したインキ貯蔵体に吸蔵されたインキが連続気泡を有する中継芯を介してペン体に供給される中綿式の筆記具においては、担体としてインキ吸蔵体ないし中継芯と同一物を使用し、この担体に液体香料を含浸させた香料保持体をインキ吸蔵体と直接接触しない状態で軸筒内に内蔵させる。【選択図】  図１
2009143106.tif 000002
【特許請求の範囲】
【請求項１】
液体を吸蔵可能な担体に液体香料を含浸させた香料保持体を軸筒内に内蔵したことを特徴とする芳香筆記具。
【請求項２】
極細繊維を引き揃えて棒状に成形したインキ貯蔵体に吸蔵されたインキが連続気泡を有する中継芯を介してペン体に供給される筆記具において、
前記担体が該インキ吸蔵体ないし該中継芯と同一物であり、この担体に液体香料を含浸させた香料保持体が該インキ吸蔵体と直接接触しない状態で軸筒内に内蔵されたことを特徴とする芳香筆記具。
【発明の詳細な説明】
【技術分野】
【０００１】
本発明は芳香を発散させて興趣に富んだ芳香筆記具に関するものである。
【背景技術】
【０００２】
筆記時に芳香を発散させたり、筆跡に芳香が残留するインキを使用した筆記具は、安らかで癒される気分が得られ、また興趣に富んだ筆記具となるので、一部において実用化されている。
【特許文献１】特開２００７−２３７７２２号公報
【発明の開示】
【発明が解決しようとする課題】
【０００３】
従来から実用化されている芳香筆記具は、インキ内に芳香液を溶解したものが主流である。しかし、芳香液はほとんどが油性であるので、水性インキにはほとんど溶解されない。また、油性インキに対しても芳香液を０．１〜１％程度溶解させるのが限度であった。これ以上溶解させると、インキとしての本来の機能が阻害されることになる。つまり、芳香液の絶対量が少ないので、購入当初は筆記具からほどよい芳香が漂うが、少し期間が経過するとほとんど芳香が発生しなくなる不具合がある。そこで本発明は、芳香の発散が長期間にわたって持続する芳香筆記具を提供することを目的とする。
【課題を解決するための手段】
【０００４】
かかる目的を達成するために、本発明の芳香筆記具は、液体を吸蔵可能な担体に液体香料を含浸させた香料保持体を軸筒内に内蔵するが、ことに、極細繊維を引き揃えて棒状に成形したインキ貯蔵体に吸蔵されたインキが連続気泡を有する中継芯を介してペン体に供給される、いわゆる中綿式の筆記具においては、担体としてインキ吸蔵体ないし中継芯と同一物を使用し、この担体に液体香料を含浸させた香料保持体をインキ吸蔵体と直接接触しない状態で軸筒内に内蔵させる。
【発明の効果】
【０００５】
液体を吸蔵可能な担体に液体香料を含浸させた香料保持体を軸筒内に内蔵するので、担体の大きさや含浸能を適当に選定することにより、含浸する液体香料の量を任意に調整できるので、長期間芳香が発生させることができる。また、極細繊維を引き揃えて棒状に成形したインキ貯蔵体と連続気泡を有する中継芯を使用する中綿式の筆記具の場合は、液体香料を含浸させる担体としてこのインキ吸蔵体ないし中継芯と同一物を使用することができ、担体用の材料を別途に用意する必要がない。また、香料保持体をインキ吸蔵体と直接接触しない状態で軸筒内に内蔵するので、インキ本来の機能が液体の香料により阻害されることがない。
【発明を実施するための最良の形態】
【０００６】
以下に図面に基づいて本発明の実施例を説明する。図面は中綿式の筆記具を示すが、中綿式に限られるものではない。図１におい尾端側内面に縦リブ１１が形成された軸筒１の先端開口には口金５が圧入して固着されており、口金５の先端開口にはペン体４を保持する先口６が固着されている。口金５の内面には縦リブ５１が形成されている。また、不使用時においては、クリップと一体になった頭栓７１が固着されたキャップ７が口金５に被せられる。
【０００７】
インキ吸蔵体２は巻縮した極細繊維を引き揃えて棒状に成形したものであり、水性インキや油性インキが吸蔵されている。このインキ吸蔵体２は軸筒１の縦リブ１１と口金５の縦リブ５１により保持されている。インキ吸蔵体２の先端面には連続気泡を有する合成樹脂製の中継芯３が差し込まれており、中継芯３の先端はペン体４に接続されている。したがって、インキ吸蔵体２内のインキは中継芯３を介してペン体４に供給されて筆記に供されるが、ペン体４と先口６の間には微小な通気溝が形成されており、筆記によりインキ吸蔵体２内のインキが消費されるとそれに見合う量の空気がこの通気溝を通ってインキ吸蔵体２内に吸収される。
【０００８】
担体に液体香料が含浸された香料保持体９が軸筒１尾端の縦リブ１１により保持されている。担体は液体香料を含浸できるものであればいずれであってもよいが、本実施例ではインキ吸蔵体２と同一のものを使用している。または連続気泡を有する中継芯３も担体として使用できるが、このように、中綿式の筆記具にあっては、インキ吸蔵体２や中継芯３をそのまま担体とて使用できるので、担体の材料を別途に用意する必要がない。液体香料は、ローズやラベンダーなどの花やイチゴやかんきつ類などの果実の匂いを発散するものが数多く製造販売されており、その原液を使用する。
【０００９】
使用時にキャップ７を取ると、香料保持体９から発生した芳香はインキ吸蔵体２と軸筒１および口金５の間の隙間、そしてペン体４と先口６の間の通気溝を通って外部に発散するが、担体に含浸できる液体香料の量はインキに溶解するものに比べてずっと多くすることができるので、長期間にわたって芳香を発散することができる。また、インキ吸蔵体２の尾端面と香料保持体９の先端面には隙間があり、両者は接触していない。このため、液体香料がインキ吸蔵体２内のインキに混入することがなく、インキ本来の機能が阻害されることがない。
【００１０】
図２は両頭の中綿式筆記具を示すが、双方のインキ吸蔵体２、２の尾端には詰栓８、８が被されており、２つの詰栓８により担体に液体香料を含浸させた香料保持体９が保持されている。つまり、香料保持体９はインキ吸蔵体２と直接接触しないように保持されている。この例においても、多くの液体香料を含浸できるので長期間にわたって芳香を発散することができ、またインキ本来の機能が阻害されることがないことは図１の実施例の場合と同じである。
【図面の簡単な説明】
【００１１】
【図１】本発明実施例の断面図である。
【図２】他の実施例の断面図である。
【符号の説明】
【００１２】
１    軸筒
１１    縦リブ
２    インキ吸蔵体
３    中継芯
４    ペン体
５    口金
５１    縦リブ
６    先口
７    キャップ
７１    頭栓
８    詰栓
９    香料保持体
【図１】
2009143106.tif 000003
【図２】
2009143106.tif 000004